Podtech/llm-jp-corpus-v4-ja_patent huggingface dataset:
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
送信機から受信機へ送信される符号化されたスケーラブルエンハンスメントフレームを暗号化する方法であって、前記エンハンスメントフレームは、品質レベル順に並んだ複数の相補ストリームを有し、各相補ストリームは、２以上のスケーラビリティタイプの組み合わせに対応し、下位の品質レベルの相補ストリームは、各スケーラビリティタイプにおける下位の品質に対応し、前記送信機で行われる当該方法は、
上位の品質レベルの相補ストリームの鍵に対するランダム鍵を生成するステップと、
スケーラビリティタイプ各々について異なる出力を有する一方向関数を前記ランダム鍵に順に適用することで、下位の品質レベルの相補ストリームの鍵を取得するステップと、
ある品質レベルに対応する相補ストリームの鍵を前記受信機に送信するステップと
を有し、前記鍵は、前記下位の品質レベルの相補ストリームの鍵だけを受信機が生成することを許容する、方法。
【請求項２】
前記鍵を取得するステップにおける前記ランダム鍵が、複数のスケーラビリティタイプに対応する複数の部分に分割され、以後の鍵は、前記一方向関数を各部分に順に使用することで生成される、請求項１記載の方法。
【請求項３】
暗号化されたスケーラブルエンハンスメントフレームを解読するための解読鍵を算出する方法であって、前記エンハンスメントフレームは、品質レベル順に並んだ複数の相補ストリームを有し、各相補ストリームは、２以上のスケーラビリティタイプの組み合わせに対応し、下位の品質レベルの相補ストリームは、各スケーラビリティタイプにおける下位の品質に対応し、受信機で行われる当該方法は、
要求した品質レベルに対応する相補ストリームの鍵を受信するステップと、
スケーラビリティタイプ各々について異なる出力を有する一方向関数を、受信した鍵に順に適用することで、下位の品質レベルに対応する相補ストリームの鍵を、受信した鍵から生成するステップと
を有する方法。
【請求項４】
符号化されたスケーラブルエンハンスメントフレームを暗号化する装置であって、前記エンハンスメントフレームは、品質レベル順に並んだ複数の相補ストリームを有し、各相補ストリームは、２以上のスケーラビリティタイプの組み合わせに対応し、下位の品質レベルの相補ストリームは、各スケーラビリティタイプにおける下位の品質に対応し、当該装置は、
上位の品質レベルの相補ストリームの鍵に対するランダム鍵を生成し、且つスケーラビリティタイプ各々について異なる出力を有する一方向関数を前記ランダム鍵に順に適用することで、下位の品質レベルの相補ストリームの鍵を生成する暗号化手段
を有する装置。
【請求項５】
暗号化されたスケーラブルエンハンスメントフレームを解読するため装置であって、前記エンハンスメントフレームは、品質レベル順に並んだ複数の相補ストリームを有し、各相補ストリームは、２以上のスケーラビリティタイプの組み合わせに対応し、下位の品質レベルの相補ストリームは、各スケーラビリティタイプにおける下位の品質に対応し、当該装置は、
スケーラビリティタイプ各々について異なる出力を有する一方向関数を、ランダム鍵に順に適用することで、下位の品質レベル以下の相補ストリームだけの鍵を、受信した鍵から生成する解読手段
を有する装置。
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
以下の式１、すなわち
【化１】
2010509341.tif 000001
の化合物であって、式中、
Ｒが、任意選択で置換、飽和又は不飽和の炭化水素基であって、該炭化水素基の炭素骨格が１〜２５個の炭素原子を含む炭化水素基を表し、
Ｚ基が１〜１２モルのオキシエチレンを含み、
Ｂが１〜５個の炭素原子を含むアルキル鎖を表し、
Ｙが０又は１を表し、
Ｘが０よりも大きな数を表す、化合物。
【請求項２】
Ｘが１、２又は３を表す、請求項１に記載の化合物。
【請求項３】
Ｂが−ＣＨ3又は−ＣＨ2−ＣＨ3を表す、請求項１又は２に記載の化合物。
【請求項４】
Ｚが３〜８モルのオキシエチレンを含み、Ｘ＝１、２又は３、Ｙ＝０及びＢ＝ＣＨ3又はＣＨ2−ＣＨ3である、請求項１〜３のいずれか１項に記載の化合物。
【請求項５】
請求項１〜４のいずれか１項に記載の１つ又は複数の化合物を１〜５ｗｔ％と１つ又は複数の賦形剤を含む組成物。
【請求項６】
充填剤、溶媒、界面活性剤、安定剤、香料、防腐剤、錯化剤、乳白剤、光沢現像剤、オイル、皮膚軟化剤、懸濁粒子、アニオン性材料、非イオン性材料、両性材料、及びカチオン性材料のうち１又は複数を含む、請求項５に記載の組成物。
【請求項７】
請求項１〜４のいずれか１項に記載の１つ又は複数の化合物を物質に添加する工程を含む、物質の発泡特性を向上させるか及び／又は物質の改善された知覚供与を提供する方法。
【請求項８】
請求項１〜４のいずれか１項に記載の１つ又は複数の化合物が２０〜２５℃の温度で前記物質に添加される、請求項７に記載の方法。
【請求項９】
前記物質によって作り出される泡の量及び密度が少なくとも２０％増加し、及び／又は前記物質によって作り出される泡の持続性が少なくとも２０％向上する、請求項７又は８に記載の方法。
【請求項１０】
以下の式２の化合物であって、
【化２】
2010509341.tif 000002
式中、Ｒが、任意選択で置換、飽和又は不飽和の炭化水素基であって、該炭化水素基の炭素骨格が１〜２５個の炭素原子を含む炭化水素基を表し、
Ｂが１〜５個の炭素原子を含むアルキル鎖を表し、
Ｙが０又は１を表し、
Ｘが０よりも大きな数を表す
化合物をエチレンオキシドと接触させる工程を含む、請求項１〜４のいずれか１項に記載の化合物を形成する方法。
【請求項１１】
式２の化合物が、ＰＰＧ−１ヒドロキシエチルカプリルアミド、ＰＰＧ−２ヒドロキシエチルコカミド、ＰＰＧ−２ヒドロキシエチルイソステアラミド、及びそれらの混合物からなる群より選択される、請求項１０に記載の方法。
【請求項１２】
式２の化合物の各モルが１〜１２モルのエチレンオキシドと接触される、請求項１０又は１１に記載の方法。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
少なくとも約６０重量％の全臭素含量を有し、ならびに吸蔵臭素を含有する少なくとも１つの粒子状臭素化有機化合物中の吸蔵臭素の含量を低下させる方法であって、約６０℃から前記少なくとも１つの粒子状臭素化有機化合物の熱分解が起こり始める温度直下の温度までの範囲の１つ以上の温度において少なくとも約１時間の間不活性有機液体希釈剤中のこの化合物の濃厚な攪拌スラリーを加熱し、この工程で生成固体の吸蔵臭素含量が低下され、前記期間の間のいかなる時点においても工程における溶解した処理対象臭素化有機化合物の量がスラリー中で約５重量％を超えないことを特徴とする方法。
【請求項２】
前記工程にかけられる粒子状臭素化有機化合物が初期において少なくとも約７０重量％の全臭素含量を有し、ならびに前記期間の間前記スラリーが約３重量％以下の溶解した処理対象臭素化有機化合物を含有する、請求項１に記載の方法。
【請求項３】
デカブロモジフェニルエタン製品またはデカブロモジフェニルオキシド製品が前記工程にかけられる、請求項１に記載の方法。
【請求項４】
前記工程の実施前に少なくとも約６０重量％の全臭素含量を有し、ならびに吸蔵臭素を含有する前記少なくとも１つの粒子状臭素化有機化合物が粒子状固相化合物の形の間に約１５０から約２３０℃の範囲の温度で約１から約６時間の範囲の間加熱され、次に請求項１に規定されるような工程にかけられる、請求項１に記載の方法。
【請求項５】
請求項１に規定されるような前記工程を実施した後、少なくとも約６０重量％の全臭素含量を有し、ならびに若干の吸蔵臭素をなお含有する前記少なくとも１つの粒子状臭素化有機化合物が粒子状固相化合物の形の間に約１５０から約２３０℃の範囲の温度で約１から約６時間の範囲の間加熱される、請求項１に記載の方法。
【請求項６】
粒子状固相デカブロモジフェニルエタン製品を約１５０から約２３０℃の範囲の温度で少なくとも約１時間の間加熱すること；および
約６０℃からデカブロモジフェニルエタン製品の熱分解が起こり始める温度直下の温度までの範囲の１つ以上の温度において前記加熱にかけたデカブロモジフェニルエタン製品から不活性有機液体希釈剤中の濃厚な攪拌スラリーを形成し、この工程で生成する固体の吸蔵臭素含量が低下され、前記期間の間で前記スラリーが約５重量％以下の溶解した処理対象デカブロモジフェニルエタン製品を含有すること
を含んでなる、吸蔵臭素含量が低下し、改善された性質の組み合わせを有するデカブロモジフェニルエタン製品を製造する方法。
【請求項７】
前記濃厚なスラリーを形成する前に粒子状固相デカブロモジフェニルエタン製品が冷却される、請求項６に記載の方法。
【請求項８】
デカブロモジフェニルエタン製品から不活性有機液体希釈剤中で濃厚な攪拌スラリーを形成し、約６０℃からデカブロモジフェニルエタン製品の熱分解が起こり始める温度直下の温度までの範囲の１つ以上の温度においてこのスラリーを加熱し、この工程で生成固体の吸蔵臭素含量が低下され、前記期間の間前記スラリーが約５重量％以下の溶解した処理対象デカブロモジフェニルエタン製品を含有すること；および
スラリーは生成する粒子状固体を回収し、約１５０から約２３０℃の範囲の温度で少なくとも約１時間の間このような粒子状固体を加熱すること
を含んでなる、吸蔵臭素含量が低下し、改善された性質の組み合わせを有するデカブロモ
ジフェニルエタン製品を製造する方法。
【請求項９】
前記期間の間スラリーが約３重量％以下の溶解した処理対象製品を含有する、請求項２−８のいずれか１つに記載の方法。
【請求項１０】
不活性有機液体希釈剤の約５０重量％以上が液体臭素芳香族炭化水素である、請求項１−８のいずれか１つに記載の方法。
【請求項１１】
前記液体臭素芳香族炭化水素がブロモベンゼンを含む、請求項１０に記載の方法。
【請求項１２】
ゼロから約１１０ｐｐｍの範囲の吸蔵臭素含量、無磨砕状態で少なくとも約１８０ミクロンの平均粒子サイズ、非磨砕試料を用いて少なくとも約８３のハンター色Ｌ値、および非磨砕試料を用いて約３０以下のハンター黄色指数を有することを特徴とする、デカブロモジフェニルエタン製品。
【請求項１３】
ガスクロマトグラフィにより約９８から約９９．９面積％の範囲のデカブロモジフェニルエタンアッセイを有すること、約３５０から約３６０℃の範囲のＤＳＣ融解温度を有すること、および約１７０ｐｐｍ未満のイオン性臭素（臭化物）の含量を有すること、の少なくとも１つを更に特徴とする、請求項１２に記載のデカブロモジフェニルエタン製品。
【請求項１４】
イオン性臭素の前記含量が約５０から約１６５ｐｐｍの範囲にある、請求項１３に記載のデカブロモジフェニルエタン製品。
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
神経細胞障害に罹患する動物において神経細胞障害を軽減するための医薬組成物であって、前記障害を軽減するために十分な量の、配列番号：１〜１４２から構成される群から選択されるアミノ酸配列を有するポリペプチドである運動ニューロン栄養因子（ｍｏｔｏｎｅｕｒｏｎｏ  ｔｒｏｐｈｉｃ  ｆａｃｔｏｒ：ＭＮＴＦ）類似体、またはかかるポリペプチドの塩を含む、医薬組成物。
【請求項２】
前記障害が、脊髄傷害、神経変性疾患、脳虚血、ハンチントン病、パーキンソン病、多発性硬化症（ｍｕｌｔｉｐｌｅ  ｓｃｌｅｒｏｓｉｓ：ＭＳ）、筋萎縮性側索硬化症（ａｍｙｏｔｒｏｐｈｉｃ  ｌａｔｅｒａｌ  ｓｃｌｅｒｏｓｉｓ：ＡＬＳ）、アルツハイマー病、および糖尿病性神経障害からなる群から選択される、請求項１に記載の医薬組成物。
【請求項３】
前記障害が脊髄傷害である、請求項１に記載の医薬組成物。
【請求項４】
前記障害が神経変性疾患である、請求項１に記載の医薬組成物。
【請求項５】
前記障害が脳虚血である、請求項１に記載の医薬組成物。
【請求項６】
前記障害がハンチントン病である、請求項１に記載の医薬組成物。
【請求項７】
前記障害がパーキンソン病である、請求項１に記載の医薬組成物。
【請求項８】
前記障害がＭＳである、請求項１に記載の医薬組成物。
【請求項９】
前記障害がＡＬＳである、請求項１に記載の医薬組成物。
【請求項１０】
前記障害がアルツハイマー病である、請求項１に記載の医薬組成物。
【請求項１１】
前記障害が糖尿病性神経障害である、請求項１に記載の医薬組成物。
【請求項１２】
前記ＭＮＴＦ類似体が、配列番号：１〜７から構成される群から選択されるアミノ酸配列を有するポリペプチドであるか、またはかかるポリペプチドの塩である、請求項１に記載の医薬組成物。
【請求項１３】
前記ＭＮＴＦ類似体が、配列番号：１の６〜３３個の連続する残基のアミノ酸配列を有するポリペプチドであるか、またはかかるポリペプチドの塩である、請求項１に記載の医薬組成物。
【請求項１４】
前記ポリペプチドが、配列番号：４の少なくとも６個の連続する残基を含むアミノ酸配列を有する、請求項１３に記載の医薬組成物。
【請求項１５】
前記ポリペプチドの前記配列が配列番号：２を含む、請求項１４に記載の医薬組成物。
【請求項１６】
前記ポリペプチドの前記配列が配列番号：３を含む、請求項１４に記載の医薬組成物。
【請求項１７】
前記ポリペプチドの前記配列が配列番号：１〜７のうちの１つである、請求項１４に記載の医薬組成物。
【請求項１８】
前記ＭＮＴＦ類似体が、配列番号：１〜１４２から構成される群から選択されるアミノ酸配列を有するペプチドの類似体であって、ＭＮＴＦの活性を示す類似体であるか、またはかかる類似体の塩である、請求項１に記載の医薬組成物。
【請求項１９】
前記ＭＮＴＦ類似体が、配列番号：１〜７から構成される群から選択されるアミノ酸配列を有するペプチドの類似体であって、ＭＮＴＦの活性を示す類似体であるか、またはかかる類似体の塩である、請求項１に記載の医薬組成物。
【請求項２０】
非経口経路によって前記動物に投与される、請求項１の医薬組成物。
【請求項２１】
前記ＭＮＴＦ類似体が、前記動物に静脈内投与される、請求項１の医薬組成物。
【請求項２２】
前記ＭＮＴＦ類似体が、配列番号：１の６〜３３個の連続する残基のアミノ酸配列を有するポリペプチドの類似体であるか、またはかかるポリペプチドの塩である、請求項１に記載の医薬組成物。
【請求項２３】
前記動物が哺乳類である、請求項１に記載の医薬組成物。
【請求項２４】
前記動物がヒトである、請求項１に記載の医薬組成物。
【請求項２５】
動物において損傷した神経経路を修復するための医薬組成物であって、前記経路を少なくとも部分的に修復するために十分な量の、配列番号：１〜１４２からなる群から選択されるアミノ酸配列を有するポリペプチドであるＭＮＴＦ類似体、またはかかるポリペプチドの塩を含む、医薬組成物。
【請求項２６】
損傷した神経経路を有する動物において運動機能を向上させるための医薬組成物であって、前記動物において運動機能を向上させるために十分な量の、配列番号：１〜１４２からなる群から選択されるアミノ酸配列を有するポリペプチドであるＭＮＴＦ類似体、またはかかるポリペプチドの塩を含む、医薬組成物。
【請求項２７】
損傷した神経経路を有する動物において神経経路を再生するための医薬組成物であって、前記動物において前記経路を再生するために十分である量の、配列番号：１〜１４２からなる群から選択されるアミノ酸配列を有するポリペプチドであるＭＮＴＦ類似体、またはかかるポリペプチドの塩を含む、医薬組成物。
【請求項２８】
動物における神経細胞の欠損を軽減するための医薬組成物であって、前記神経細胞の欠損を軽減するために十分である量の、配列番号：１〜１４２からなる群から選択されるアミノ酸配列を有するポリペプチドであるＭＮＴＦ類似体、またはかかるポリペプチドの塩を含む、医薬組成物。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
一般式I：
【化１】
2010509386.tif 000001
（式中R1は水素原子であり、そしてR2はヒドロキシル基であるか、あるいはR1およびR2は一緒になってオキソ基であることができる）
のプロゲステロンレセプターアンタゴニスト。
【請求項２】
請求項１に記載の11β-[4-(1,2-ジヒドロキシエチル)フェニル]-20,20,21,21,21-ペンタフルオロ-17-ヒドロキシ-19-ノル-17α-プレグナ-4,9-ジエン-3-オン。
【請求項３】
請求項２に記載の11β-[4-[(1R)-1,2-ジヒドロキシエチル]フェニル]-20,20,21,21,21-ペンタフルオロ-17-ヒドロキシ-19-ノル-17α-プレグナ-4,9-ジエン-3-オン。
【請求項４】
請求項２に記載の11β-[4-[(1S)-1,2-ジヒドロキシエチル]フェニル]-20,20,21,21,21-ペンタフルオロ-17-ヒドロキシ-19-ノル-17α-プレグナ-4,9-ジエン-3-オン。
【請求項５】
請求項１に記載の20,20,21,21,21-ペンタフルオロ-17-ヒドロキシ-11β-[4-(ヒドロキシアセチル)フェニル]-19-ノル-17α-プレグナ-4,9-ジエン-3-オン。
【請求項６】
請求項１〜５のいずれか１項に記載のプロゲステロンレセプターアンタゴニストを含有する薬物。
【請求項７】
11β-[4-(1,2-ジヒドロキシエチル)フェニル]-20,20,21,21,21-ペンタフルオロ-17-ヒドロキシ-19-ノル-17α-プレグナ-4,9-ジエン-3-オンを含有する請求項6の薬物。
【請求項８】
11β-[4-[(1R)-1,2-ジヒドロキシエチル]フェニル]-20,20,21,21,21-ペンタフルオロ-17-ヒドロキシ-19-ノル-17α-プレグナ-4,9-ジエン-3-オンを含有する請求項7の薬物。
【請求項９】
11β-[4-[(1S)-1,2-ジヒドロキシエチル]フェニル]-20,20,21,21,21-ペンタフルオロ-17-ヒドロキシ-19-ノル-17α-プレグナ-4,9-ジエン-3-オンを含有する請求項7の薬物。
【請求項１０】
20,20,21,21,21-ペンタフルオロ-17-ヒドロキシ-11β-[4-(ヒドロキシアセチル)フェニル]-19-ノル-17α-プレグナ-4,9-ジエン-3-オンを含有する請求項6の薬物。
【請求項１１】
子宮内膜症、筋腫またはホルモン依存性腫瘍、ことに乳房の癌腫を治療するための薬物、および女性の避妊の製剤を製造するための請求項１〜５のいずれか１項に記載のプロゲステロンレセプターアンタゴニストの使用。
【請求項１２】
11β-[4-(1,2-ジヒドロキシエチル)フェニル]-17β-ヒドロキシ-17α-(1,1,2,2,2-ペンタフルオロエチル)エストラ-4,9-ジエン-3-オンを含有する請求項11の使用。
【請求項１３】
11β-[4-[(1R)-1,2-ジヒドロキシエチル]フェニル]-20,20,21,21,21-ペンタフルオロ-17-ヒドロキシ-19-ノル-17α-プレグナ-4,9-ジエン-3-オンを含有する請求項12の使用。
【請求項１４】
11β-[4-[(1S)-1,2-ジヒドロキシエチル]フェニル]-20,20,21,21,21-ペンタフルオロ-17-ヒドロキシ-19-ノル-17α-プレグナ-4,9-ジエン-3-オンを含有する請求項12の使用。
【請求項１５】
20,20,21,21,21-ペンタフルオロ-17-ヒドロキシ-11β-[4-(ヒドロキシアセチル)フェニル]-19-ノル-17α-プレグナ-4,9-ジエン-3-オンを含有する請求項11の使用。
【請求項１６】
請求項１〜５のいずれか１項に記載の一般式Iのプロゲステロンレセプターアンタゴニストの製造における中間体としての11β-(4-エテニルフェニル)-20,20,21,21,21-ペンタフルオロ-5,17-ジヒドロキシ-19-ノル-5α,17α-プレグン-9-エン-3-オン2,2-ジメチルプロパン-1,3-ジイルケタール。
【請求項１７】
請求項１〜５のいずれか１項に記載の一般式Iのプロゲステロンレセプターアンタゴニストの製造における中間体としての11β-[4-(1,2-ジヒドロキシエチル)フェニル]-20,20,21,21,21-ペンタフルオロ-5,17-ジヒドロキシ-19-ノル-5α,17α-プレグン-9-エン-3-オン2,2-ジメチルプロパン-1,3-ジイルケタール。
【請求項１８】
請求項１〜５のいずれか１項に記載の一般式Iのプロゲステロンレセプターアンタゴニストの製造における中間体としての20,20,21,21,21-ペンタフルオロ-17-ヒドロキシ-5,10α-エポキシ-19-ノル-5α,17α-プレグン-9(11)-エン-3-オン2,2-ジメチルプロパン-1,3-ジイルケタール。
【請求項１９】
請求項１〜５のいずれか１項に記載の一般式Iのプロゲステロンレセプターアンタゴニストの製造における中間体としての11β-｛4-[(4R)-2,2-ジメチル-1,3-ジオキソラン-4-イル]フェニル｝-20,20,21,21,21-ペンタフルオロ-5,17-ジヒドロキシ-19-ノル-5α,17α-プレグン-9-エン-3-オン2,2-ジメチルプロパン-1,3-ジイルケタール。
【請求項２０】
請求項５に記載のプロゲステロンレセプターアンタゴニスト20,20,21,21,21-ペンタフルオロ-17-ヒドロキシ-11β-[4-(ヒドロキシアセチル)フェニル]-19-ノル-17α-プレグナ-4,9-ジエン-3-オンの製造における中間体としての11β-[4-[2-[[[(1,1-ジメチルエチル)ジメチルシリル]オキシ]メチル]-1,3-ジオキソラン-2-イル]フェニル]-20,20,21,21,21-ペンタフルオロ-5,17-ジヒドロキシ-19-ノル-5α,17α-プレグン-9-エン-3-オン2,2-ジメチルプロパン-1,3-ジイルケタール。
【請求項２１】
請求項５に記載のプロゲステロンレセプターアンタゴニスト20,20,21,21,21-ペンタフルオロ-17-ヒドロキシ-11β-[4-(ヒドロキシアセチル)フェニル]-19-ノル-17α-プレグナ-4,9-ジエン-3-オンの製造における中間体としての20,20,21,21,21-ペンタフルオロ-5,17-ジヒドロキシ-11β-[4-[2-(ヒドロキシメチル)-1,3-ジオキソラン-2-イル]フェニル]-19-ノル-5α,17α-プレグン-9-エン-3-オン2,2-ジメチルプロパン-1,3-ジイルケタール。
【請求項２２】
単離された形態、好ましくは固体の形態の請求項１〜５のいずれかの化合物。
【請求項２３】
請求項３または４の他の化合物を実質的に含まない請求項３または４の化合物。
【請求項２４】
経口投与に適合した、好ましくは単位投与形態としての請求項６〜10のいずれか1つの薬物。
【請求項２５】
0.01 mg〜100 mgの請求項1の化合物を含有する請求項６〜10のいずれかの薬物。
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010509356.tif 000001
［式中、
ＸおよびＹは独立して、−ＣＨ２−、−ＮＨ−、−Ｓ−、もしくは−Ｏ−であり、またはＸおよびＹの一方は存在せず；
Ｒ１、Ｒ２およびＲ３は独立して、水素、アルキル、置換アルキル、シクロアルキル、置換シクロアルキル、アリール、置換アリール、ヘテロアリール、置換ヘテロアリール、ヘテロシクロアルキル、置換ヘテロシクロアルキル、アリールオキシ、または置換アリールオキシであり；
Ｒ４およびＲ５は独立して、水素、アルキル、置換アルキル、アリール、置換アリール、シクロアルキル、置換シクロアルキル、ヘテロシクリル、または置換ヘテロシクリルであるか、あるいは
Ｒ４およびＲ５は、それらが結合している窒素原子とともに、一緒になって適宜置換されるヘテロシクリル環を形成し；
Ｒ６は独立して、一またはそれ以上の水素、アルキル、置換アルキル、アリール、置換アリール、シアノまたはハロゲンである］
の化合物、またはその医薬的に許容される塩、または立体異性体。
【請求項２】
Ｘが−ＣＨ２−、Ｙが −ＮＨ−であるか、またはＸおよびＹの一方が存在せず、他方が−Ｏ−もしくは−Ｓ−であり；
Ｒ１、Ｒ２およびＲ３が独立して、水素、アリール、置換アリール、ヘテロアリール、置換ヘテロアリール、シクロアルキル、または置換シクロアルキルであり；並びに
Ｒ４およびＲ５が独立して、水素、シクロアルキル、置換シクロアルキル、ヘテロシクリル、または置換ヘテロシクリルである、請求項１の化合物、
またはその医薬的に許容される塩、または立体異性体。
【請求項３】
Ｎ−シクロプロピル−４−フルオロ−３−｛（２−フェニル−１Ｈ−ピロロ［２，３−ｂ］ピリジン−５−イル）メチルアミノ｝ベンズアミド、
Ｎ−シクロプロピル−２，４−ジフルオロ−５−（（２−フェニル−１Ｈ−ピロロ［２，３−ｂ］ピリジン−５−イル）メチルアミノ）ベンズアミド、
Ｎ−シクロプロピル−４−フルオロ−３−（（２−フェニル−１Ｈ−ピロロ［２，３−ｂ］ピリジン−５−イルアミノ）メチル）ベンズアミド、
Ｎ−シクロプロピル−３−（（２−シクロプロピル−１Ｈ−ピロロ［２，３−ｂ］ピリジン−５−イル）メチルアミノ）−４−フルオロベンズアミド、
Ｎ−シクロプロピル−４−フルオロ−３−（（２−（ピリジン−３−イル）−１Ｈ−ピロロ［２，３−ｂ］ピリジン−５−イル）メチルアミノ）ベンズアミド、
Ｎ−シクロプロピル−４−フルオロ−３−（（２−（ピリジン−２−イル）−１Ｈ−ピロロ［２，３−ｂ］ピリジン−５−イル）メチルアミノ）ベンズアミド、
Ｎ−シクロプロピル−４−フルオロ−３−（（２−（４−メトキシフェニル）−１Ｈ−ピロロ［２，３−ｂ］ピリジン−５−イル）メチルアミノ）ベンズアミド、
Ｎ−シクロプロピル−３−（（２−（３−（２−（ジメチルアミノ）エトキシ）フェニル）−１Ｈ−ピロロ［２，３−ｂ］ピリジン−５−イル）メチルアミノ）−４−フルオロベンズアミド、
Ｎ−（１−（４−フルオロフェニルスルホニル）ピペリジン−４−イル）−３−（２−フェニル−１Ｈ−ピロロ［２，３−ｂ］ピリジン−５−イルオキシ）ベンズアミド、
Ｎ−（１−（４−フルオロフェニルスルホニル）アゼチジン−３−イル）−３−（２−フェニル−１Ｈ−ピロロ［２，３−ｂ］ピリジン−５−イルオキシ）ベンズアミド、
Ｎ−（１−（４−フルオロフェニルスルホニル）アゼチジン−３−イル）−３−（２−フェニル−１Ｈ−ピロロ［２，３−ｂ］ピリジン−５−イルチオ）ベンズアミド、
Ｎ−（１−（４−フルオロフェニルスルホニル）ピペリジン−４−イル）−３−（２−フェニル−１Ｈ−ピロロ［２，３−ｂ］ピリジン−５−イルチオ）ベンズアミド、
Ｎ−（３−（シクロプロピルカルバモイル）フェニル）−２−フェニル−１Ｈ−ピロロ［２，３−ｂ］ピリジン−５−カルボキサミド、
２−フェニル−１Ｈ−ピロロ［２，３−ｂ］ピリジン−５−カルボニトリル、
３−（（４−アミノピペリジン−１−イル）メチル）−２−フェニル−１Ｈ−ピロロ［２，３−ｂ］ピリジン−５−カルボニトリル；
からなる群から選択される化合物、またはその医薬的に許容される塩、または立体異性体。
【請求項４】
請求項１の化合物の一またはそれ以上、および医薬的に許容される担体を含む医薬組成物。
【請求項５】
請求項１の化合物の一またはそれ以上を、医薬的に許容される担体、および一またはそれ以上の他の抗癌剤もしくは細胞毒性薬と組み合わせて含む医薬組成物。
【請求項６】
請求項１の化合物の一またはそれ以上の有効な抗血管新生産生量を含む、抗血管新生効果を産出する薬剤。
【請求項７】
請求項１の化合物の一またはそれ以上の有効な血管透過性減少効果量を含む、血管透過性減少効果を産出する薬剤。
【請求項８】
請求項１の化合物の一またはそれ以上の有効なプロテインキナーゼ阻害量を含む、成長因子受容体のプロテインキナーゼ活性阻害剤。
【請求項９】
請求項１の化合物の一またはそれ以上の有効なチロシンキナーゼ阻害量を含む、成長因子受容体のチロシンキナーゼ活性阻害剤。
【請求項１０】
請求項４の組成物の治療上の有効量を含む、増殖性疾患治療剤。
【請求項１１】
請求項４の組成物の治療上の有効量を含む、癌治療剤。
【請求項１２】
請求項１の化合物の一またはそれ以上の治療上の有効量を含む、成長因子受容体を通じて作動するシグナル伝達経路に関係する疾患の治療剤。
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
トマト原料に対する水抽出した後に不溶性物質として残る、リコピン含有のトマト組成物、ならびに、ジュース、ピューレ、ペースト、および粉末から選択されたフルーツ由来原料を含み、
上記フルーツ由来原料は、最終組成物の全乾燥質量の約５％から約８０％を構成する、経口摂取のための組成物。
【請求項２】
上記水抽出は、約６未満のｐＨで実行される、請求項１に記載の組成物。
【請求項３】
上記水抽出は、約１．５から約４．５までのｐＨで実行される、請求項２に記載の組成物。
【請求項４】
上記水抽出は、蒸気を用いて実行される、請求項１に記載の組成物。
【請求項５】
上記リコピン含有の組成物は、実質的に、トマト原料の風味特性が低減された、または取り除かれたものである、請求項１に記載の組成物。
【請求項６】
リコピンを含まない植物原料をさらに含む、請求項１に記載の組成物。
【請求項７】
上記フルーツ由来原料は、マンゴー由来、リンゴ由来、およびパイナップル由来の各原料、または上記各原料の混合物から選択される、請求項１に記載の組成物。
【請求項８】
ビタミン類、抗酸化剤類、微量元素類、天然抽出物類、食品添加物類、ホルモン類、タンパク質類、脂肪酸類、オイル類、アルコール、炭水化物、およびそれらの混合物から選択される補助の原料をさらに含む、請求項７に記載の組成物。
【請求項９】
実質的に高純度の抗酸化剤と、生姜、または生姜抽出物、ミント、ミント抽出物、ミントオイル、メンソール、およびそれらの混合物から選択された原料の有効量とをさらに含む、請求項１に記載の組成物。
【請求項１０】
上記抗酸化剤は、没食子酸、アスコルビン酸、没食子酸の薬学的な活性誘導体、およびアスコルビン酸の薬学的な活性誘導体、ならびにそれらの混合物を含む、請求項９に記載の組成物。
【請求項１１】
トマト固形分内に分散したリコピンを得るためのトマト原料の加工方法であって、
上記トマト固形分は、トマト原材料に対する、水および／または蒸気の抽出工程を含んで、トマト原材料の風味特性が、実質的に低減、または除去されたものである、トマト原料の加工方法。
【請求項１２】
上記抽出工程は、蒸気による抽出である、請求項１１に記載の方法。
【請求項１３】
上記抽出工程は、約６未満のｐＨで実行される、請求項１２に記載の方法。
【請求項１４】
上記抽出工程は、約１．５から約４．５までのｐＨで実行される、請求項１３に記載の方法。
【請求項１５】
健康の皮膚を維持し、かつ、ニキビ、慢性皮脂腺炎症、炎症、過敏症、および皮膚の老化に関連する皮膚の各状態を緩和する皮膚の状態向上物であって、
（ａ）上記皮膚の状態の部位に対して上記状態のための局所的な治療のための化合物と、（ｂ）ヒトへ経口投与される、１つ以上の抗酸化剤の有効量を含む組成物とを含む、皮膚の状態向上物。
【請求項１６】
局所的な治療が、上記ヒトの上記状態の部位に対して、安全、かつ有効な量の以下の構造式を有する化合物を局所的に塗布することを含み、
【化１】
2010509352.tif 000001
上記構造式では、Ｒ1は、−ＯＨ、およびＣ1−Ｃ3アルキルＯＨから選択され、ならびにＲ2、Ｒ3、Ｒ4、Ｒ5およびＲ6は、それぞれ、−Ｈ、−ＯＨ、−ＣＯＯＨ、Ｃ1−Ｃ6アルキル、およびＣ3−Ｃ6シクロアルキルから独立して選択され、ただし、上記化合物は５個以下の−ＯＨ基しか含まない、請求項１５に記載の皮膚の状態向上物。
【請求項１７】
上記化合物は、１，２−シクロヘキサンジオール、１，３−シクロヘキサンジオール、１，４−シクロヘキサンジオール、１，２，３−シクロヘキサントリオール、１，３，５−シクロヘキサントリオール、およびそれらの混合物から選択される、請求項１６に記載の皮膚の状態向上物。
【請求項１８】
上記経口投与のための組成物は、蒸気および／または水での抽出が施された、リコピン含有する原料を含む、請求項１５に記載の皮膚の状態向上物。
【請求項１９】
上記抽出は、蒸気によりなされる、請求項１８に記載の皮膚の状態向上物。
【請求項２０】
上記抽出は、約６未満のｐＨで実行される、請求項１９に記載の皮膚の状態向上物。
【請求項２１】
上記抽出は、約１．５から約４までのｐＨで実行される、請求項２０に記載の皮膚の状態向上物。
【請求項２２】
上記経口投与のための組成物は、リコピン含有のトマト組成物と、フルーツ由来の組成物とを含み、かつ、
上記経口投与のための上記組成物は、リコピンを含むトマト組成物と、フルーツ由来の組成物との混合物の全乾燥質量として計算された、約５％から約８０％までのフルーツ由来の組成物を含む、請求項１５に記載の皮膚の状態向上物。
【請求項２３】
リコピンを含有するトマト成分と、マンゴー由来成分とを含み、
上記マンゴー由来成分は、乾燥物として計算されたトマト成分に対して、少なくとも５％にて存在する、経口摂取のための組成物。
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
【化１】
2010509304.tif 000001
（上式中、ｎは３〜２２であり；Ｒ１は、
水素；
フェニル；
カルボエトキシ；
カルボメトキシ；
カルボキシ；
ヒドロキシメチル；
トリメチルシリルメチル；
２、３又は４個の炭素原子を有する単鎖アルキル；
クロロ；および
フルオロを含む群より選択され；
但しｎが３〜８の場合、Ｒ１は水素ではない）
の化合物。
【請求項２】
【化３】
2010509304.tif 000002
（上式中、ｎは９〜２２である）
である、請求項１に記載の化合物。
【請求項３】
ビス（２−プロペニル）ポリスルフィド；および
ビス（２−置換−２−プロペニル）ポリスルフィド
を含む群より選択される、２個以上の硫黄原子を含む、ジアリル系ポリスルフィドの硫黄原子を含む、ジアリル系ポリスルフィドの硫黄鎖長を延長する方法であって；
前記ジアリル系ポリスルフィドを元素硫黄と混合するステップと、５０℃を超える温度に混合物を加熱するステップとを含む、方法。
【請求項４】
元素硫黄の融点以上の温度に前記混合物が加熱される、請求項３に記載の方法。
【請求項５】
前記ジアリル系ポリスルフィドがジアリルポリスルフィドを含む、請求項３または４のいずれかに記載の方法。
【請求項６】
ビス（２−プロペニル）ポリスルフィド；および
ビス（２−置換−２−プロペニル）ポリスルフィド
を含む群より選択される、２個以上の硫黄原子を含む、ジアリル系ポリスルフィドの硫黄鎖長を延長する方法であって；
前記ジアリル系ポリスルフィドを溶融硫黄と混合するステップを含む、方法。
【請求項７】
前記ジアリル系ポリスルフィドが、２２個未満の硫黄原子を有するポリスルフィドを含む、請求項３または４に記載の方法。
【請求項８】
【化４】
2010509304.tif 000003
（上式中、Ｒ１は、
フェニル；
カルボエトキシ；
カルボメトキシ；
カルボキシ；
ヒドロキシメチル；
トリメチルシリルメチル；
２、３又は４個の硫黄原子を有する短鎖アルキル；
クロロ；および
フルオロを含む群より選択され；
ｎは３〜２０である）
である請求項１に記載の化合物。
【請求項９】
【化５】
2010509304.tif 000004
（上式中、ｎは３〜１８である）
の化合物。
【請求項１０】
２−シクロヘキセン−１−イルジスルフィドを溶融硫黄と混合するステップを含む、請求項９に記載の混合物を生成する方法。
【請求項１１】
【化６】
2010509304.tif 000005
（上式中、ｎは３〜１８である）
の化合物。
【請求項１２】
２−シクロペンテン−１−イルジスルフィドを溶融硫黄と混合するステップを含む、請求項１１に記載の混合物を生成する方法。
【請求項１３】
アリルメチルポリスルフィド（ＭｅＳｎＣＨ２ＣＨ＝ＣＨ２）、ｎ≧２である、の硫黄鎖長を延長する方法であって、前記アリルメチルポリスルフィドを元素硫黄と混合するステップと、５０℃を超える温度に混合物を加熱するステップとを含む、方法。
【請求項１４】
元素硫黄の融点以上の温度に前記混合物が加熱される、請求項１３に記載の方法。
【請求項１５】
アリルメチルポリスルフィド（ＭｅＳｎＣＨ２ＣＨ＝ＣＨ２）、ｎ≧２である、の硫黄鎖長を延長する方法であって、前記アリルメチルポリスルフィドを溶融硫黄と混合するステップを含む、方法。
【手続補正書】
【提出日】平成22年10月25日(2010.10.25)
【手続補正１】
【補正対象書類名】明細書
【補正対象項目名】００６１
【補正方法】変更
【補正の内容】
【００６１】
［実施例３］
ＢＴＧ１６４０のフマル酸塩の安定性分析
実施例１に従って調製したＢＴＧ１６４０フマル酸塩の試料それぞれ１００ｍｇを以下の保存条件に暴露した。
【手続補正書】
【提出日】平成22年8月20日(2010.8.20)
【手続補正１】
【補正対象書類名】明細書
【補正対象項目名】０１１４
【補正方法】変更
【補正の内容】
【０１１４】
表１３Ａおよび１３Ｂのデータは、従来の塗料に本発明の実施例を添加することにより、本発明の実施例が添加されていない同じ塗料と比較して、オープンタイム延長が増加したことを実証している。実施例１〜９は、比較例ＢおよびＣより優れていた。また、実施例１〜９は、比較例ＢおよびＣと比較して低濃度のフッ素を含有したが、優れたオープンタイム延長を付与し、従ってフッ素効率が増加したことを実証している。
なお、本発明は、特許請求の範囲を含め、以下の発明を包含する。
１．式（Ｉ）又は（ＩＩ）：
【化１】
2010509396.tif 000001
｛式中、
Ｒfは、任意に１〜３個の酸素原子によって、任意選択的に中断されている炭素数１〜７の直鎖又は分岐鎖パーフルオロアルキルであり、
ｒおよびｑはそれぞれ独立して１〜３の整数であり、
ｊは０又は１、又はこれらの混合であり、
ｘは約１〜約２であり、
Ｚは−Ｏ−、−Ｓ−、又は−ＮＲ−であり、
Ｒは、水素、又は炭素数１〜４のアルキル基であり、
Ｘは水素、又はＭであり、
Ｍはアンモニウムイオン、アルカリ金属イオン、又はアルカノールアンモニウムイオンである｝
の１つ以上の化合物を含む組成物。
２．Ｒfが炭素数１〜３の直鎖パーフルオロアルキル基であり；ｒ、ｑおよびｊがそれぞれ１であり；Ｍがアンモニウムイオン又はアルカノールアンモニウムイオンである、１に記載の組成物。
３．約１５〜約８０ｍｏｌ％の式（Ｉ）のモノ（フルオロアルキル）ホスフェート（式中、ｘは１である）、および約２０〜約８５ｍｏｌ％の式（Ｉ）のビス（フルオロアルキル）ホスフェート（式中、ｘは２である）を含む、１に記載の組成物。
４．Ａ）染みをはじく性質、染み除去性、汚れをはじく性質、汚れ除去性、撥水性、撥油性、および抗微生物からなる群から選択される少なくとも１つの表面効果を付与する薬剤、
Ｂ）界面活性剤、ｐＨ調整剤、レベリング剤、湿潤剤、又は
Ｃ）これらの混合物、
を更に含む、１に記載の組成物。
５．基材に１に記載の組成物を接触させることを含む、基材に撥水性、撥油性および耐汚染性を付与する方法。
６．コーティング組成物が堆積される基材に耐ブロッキング性、オープンタイム延長、および撥油性を付与する方法であって、前記基材に堆積する前に、前記コーティング組成物に１に記載の組成物を添加することを含む、方法。
７．前記コーティング組成物が、アルキドコーティング、タイプＩウレタンコーティング、不飽和ポリエステルコーティング、または水分散コーティングである、６に記載の方法。
８．Ｒfの炭素数が４〜６であり、ｒ、ｑおよびｊがそれぞれ１であり、Ｍがアンモニウム又はアルカノールアンモニウムイオンである、５又は６に記載の方法。
９．５又は６に記載の方法に従って処理された基材。
１０．１に記載の組成物が塗布された基材。
【手続補正２】
【補正対象書類名】特許請求の範囲
【補正対象項目名】全文
【補正方法】変更
【補正の内容】
【特許請求の範囲】
【請求項１】
式（Ｉ）又は（ＩＩ）： 
【化２】
2010509396.tif 000002
｛式中、
Ｒｆは、１〜３個の酸素原子によって、任意選択的に中断されている炭素数１〜４の直鎖又は分岐鎖パーフルオロアルキルであり、
ｒは１であり、ｑは１〜３の整数であり、
ｊは０又は１、又はこれらの混合であり、
ｘは約１〜約２であり、
Ｚは−Ｏ−、−Ｓ−、又は−ＮＲ−であり、
Ｒは、水素、又は炭素数１〜４のアルキル基であり、
Ｘは水素、又はＭであり、
Ｍはアンモニウムイオン、アルカリ金属イオン、又はアルカノールアンモニウムイオンである｝
の１つ以上の化合物を含む組成物。
【請求項２】
基材に請求項１に記載の組成物を接触させることを含む、基材に撥水性、撥油性および耐汚染性を付与する方法。
【請求項３】
コーティング組成物が堆積される基材に耐ブロッキング性、オープンタイム延長、および撥油性を付与する方法であって、前記基材に堆積する前に、前記コーティング組成物に請求項１に記載の組成物を添加することを含む、方法。
【請求項４】
請求項２又は３に記載の方法に従って処理された基材。
【請求項５】
請求項１に記載の組成物が塗布された基材。
【手続補正書】
【提出日】平成22年8月20日(2010.8.20)
【手続補正１】
【補正対象書類名】明細書
【補正対象項目名】００９９
【補正方法】変更
【補正の内容】
【００９９】
表９の結果によれば、実施例３〜１２の生成物を含有する塗料では、優れたオープンタイム延長の値の増加が見られた。
なお、本発明は、特許請求の範囲を含め、以下の発明を包含する。
１．式（Ｉ）又は（ＩＩ）の化合物を含む組成物であって：
【化１】
2010509395.tif 000001
式中、
ｒおよびｑが独立して１〜３の整数であり、
Ｒfが炭素数１〜６の直鎖又は分岐鎖のパーフルオロアルキル基であり、
ｊが整数０又は１、又はこれらの混合であり、
ｘが１又は２であり、
Ｚが−Ｏ−又は−Ｓ−であり、
Ｘが水素又はＭであり、
Ｍがアンモニウムイオン、アルカリ金属イオン、又はアルカノールアンモニウムイオンである、組成物。
２．Ｒfの炭素数が４〜６であり、ｒ、ｑおよびｊがそれぞれ１であり、Ｍがアンモニウム又はアルカノールアンモニウムイオンである、請求項１に記載の組成物。
３．式（Ｉ）のモノ（フルオロアルキル）ホスフェート（式中、ｘは１である）を約１５〜約８０ｍｏｌ％、および式（Ｉ）のビス（フルオロアルキル）ホスフェート（式中、ｘ＝２）を約２０〜約８５ｍｏｌ％含む、請求項１に記載の組成物。
４．ａ）染みをはじく性質、染み除去性、汚れをはじく性質、汚れ除去性、撥水性、撥油性、および抗微生物保護からなる群から選択される少なくとも１つの表面効果を付与する薬剤、
ｂ）界面活性剤、ｐＨ調整剤、湿潤剤、レベリング剤、又は
ｃ）これらの混合物、
を更に含む、請求項１に記載の組成物。
５．基材に請求項１に記載の組成物を接触させることを含む、基材に撥水性、撥油性および耐汚染性を付与する方法。
６．コーティング組成物が堆積積層される基材に耐ブロッキング性、オープンタイム延長、および撥油性を付与する方法であって、前記基材に堆積積層する前に、前記コーティング組成物に請求項１に記載の組成物を添加することを含む、方法。
７．前記コーティング組成物が、水分散コーティング、アルキドコーティング、タイプＩウレタンコーティング、又は不飽和ポリエステルコーティングである、請求項６に記載の方法。
８．Ｒfの炭素数が４〜６であり、ｒ、ｑおよびｊがそれぞれ１であり、Ｍがアンモニウム又はアルカノールアンモニウムイオンである、請求項５又は６に記載の方法。
９．請求項５又は６に記載の方法に従って処理された基材。
１０．請求項１に記載の組成物が塗布された基材。
【手続補正２】
【補正対象書類名】特許請求の範囲
【補正対象項目名】全文
【補正方法】変更
【補正の内容】
【特許請求の範囲】
【請求項１】
式（Ｉ）又は（ＩＩ）の化合物を含む組成物であって：
【化２】
2010509395.tif 000002
式中、
ｒおよびｑが独立して１〜３の整数であり、
Ｒｆが炭素数４〜６の直鎖又は分岐鎖のパーフルオロアルキル基であり、
ｊが整数０又は１、又はこれらの混合であり、
ｘが１又は２であり、
Ｚが−Ｏ−又は−Ｓ−であり、
Ｘが水素又はＭであり、
Ｍがアンモニウムイオン、アルカリ金属イオン、又はアルカノールアンモニウムイオンである、組成物。
【請求項２】
基材に請求項１に記載の組成物を接触させることを含む、基材に撥水性、撥油性および耐汚染性を付与する方法。
【請求項３】
コーティング組成物が堆積積層される基材に耐ブロッキング性、オープンタイム延長、および撥油性を付与する方法であって、前記基材に堆積積層する前に、前記コーティング組成物に請求項１に記載の組成物を添加することを含む、方法。
【請求項４】
請求項２又は３に記載の方法に従って処理された基材。
【請求項５】
請求項１に記載の組成物が塗布された基材。
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
式Ｉ【化１】
2010509379.tif 000001
〔式中、  Ｘは、ＮＨであり；  Ｒ１は、（Ｃ１−Ｃ６）−アルキルであり；  Ｒ２は、ＯＨであり；  Ｒ２’は、Ｈであり；  Ｒ５’は、（Ｃ１−Ｃ６）−アルキレン−Ｏ−Ｓ（Ｏ）２−Ｒ６であり；  Ｒ３、Ｒ３’、Ｒ４、Ｒ４’、Ｒ５は、相互に独立してＨ、Ｃｌ、Ｂｒ、Ｉ、ＯＨ、−（ＣＨ２）−ＯＨ、ＣＦ３、ＮＯ２、Ｎ３、ＣＮ、Ｓ（Ｏ）２−Ｒ６、Ｏ−Ｓ（Ｏ）２−Ｒ６、（Ｃ１−Ｃ６）−アルキレン−Ｓ（Ｏ）２−Ｒ６、（Ｃ１−Ｃ６）−アルキレン−Ｏ−Ｓ（Ｏ）２−Ｒ６、ＣＯＯＨ、ＣＯＯ（Ｃ１−Ｃ６）アルキル、ＣＯＮＨ２、ＣＯＮＨ（Ｃ１−Ｃ６）アルキル、ＣＯＮ[（Ｃ１−Ｃ６）アルキル]２、（Ｃ１−Ｃ６）−アルキル、（Ｃ２−Ｃ６）−アルケニル、（Ｃ２−Ｃ６）−アルキニル、Ｏ−（Ｃ１−Ｃ６）−アルキル、ここでアルキル基中の１つ、２つ以上又は全ての水素は、フッ素によって置き換えられてもよく；  フェニル、−（ＣＨ２）−フェニル、−（ＣＨ２）ｎ−フェニル、Ｏ−フェニル、Ｏ−（ＣＨ２）ｍ−フェニル、−（ＣＨ２）−Ｏ−（ＣＨ２）ｍ−フェニル、ここでフェニル環は、Ｆ、Ｃｌ、Ｂｒ、Ｉ、ＯＨ、ＣＦ３、ＮＯ２、ＣＮ、ＯＣＦ３、Ｏ−（Ｃ１−Ｃ６）−アルキル、（Ｃ１−Ｃ６）−アルキル、ＮＨ２、ＮＨ（Ｃ１−Ｃ６）−アルキル、Ｎ（（Ｃ１−Ｃ６）−アルキル）２、ＳＯ２−ＣＨ３、ＣＯＯＨ、ＣＯＯ−（Ｃ１−Ｃ６）−アルキル、ＣＯＮＨ２によって１〜３回置換されてもよく；  ここで常に基Ｒ３、Ｒ３’、Ｒ４、Ｒ４’、Ｒ５、Ｒ５’の少なくとも１つは、−Ｏ−（ＣＨ２）ｍ−フェニルの意味を有し、ここでフェニル環は、Ｆ、Ｃｌ、Ｂｒ、Ｉ、ＯＨ、ＣＦ３、ＮＯ２、ＣＮ、ＯＣＦ３、Ｏ−（Ｃ１−Ｃ６）−アルキル、（Ｃ１−Ｃ６）−アルキル、ＮＨ２、ＮＨ（Ｃ１−Ｃ６）−アルキル、Ｎ（（Ｃ１−Ｃ６）−アルキル）２、ＳＯ２−ＣＨ３、ＣＯＯＨ、ＣＯＯ−（Ｃ１−Ｃ６）−アルキル、ＣＯＮＨ２によって１〜３回置換されてもよく；  Ｒ６は、Ｈ、ＯＨ、（Ｃ１−Ｃ６）−アルキル、ＮＨ２、ＮＨ（Ｃ１−Ｃ６）−アルキル、Ｎ（（Ｃ１−Ｃ６）−アルキル）２であり；  ｎは、２、３、４、５、６であり；  ｍは、１、２、３、４、５、６である〕の化合物及びその医薬上許容しうる塩。
【請求項２】
式【化２】
2010509379.tif 000002
の化合物及びその医薬上許容しうる塩。
【請求項３】
式【化３】
2010509379.tif 000003
の化合物及びその医薬上許容しうる塩。
【請求項４】
請求項１〜３のいずれか１項に記載の式Ｉの化合物、及びシンバスタチン、フルバスタチン、プラバスタチン、ロバスタチン、アトロバスタチン、セリバスタチン及びロスバスタチンの群からの少なくとも１つ又はそれ以上のＨＭＧＣｏＡ還元酵素阻害剤を含む医薬。
【請求項５】
高脂血症を治療する薬剤を製造するための請求項１〜３のいずれか１項に記載の式Ｉの化合物の使用。
【請求項６】
血清コレステロールレベルを低下させる薬剤を製造するための請求項１〜３のいずれか１項に記載の式Ｉの化合物の使用。
【請求項７】
糖尿病を治療する薬剤を製造するための請求項１〜３のいずれか１項に記載の式Ｉの化合物の使用。